(57)【特許請求の範囲】
【請求項１】
弁座（２、５２）を貫通して延び、同心円に沿って配列され円周状に配置された第１ガス流路（５８）の組を備える前記弁座（２、５２）と、
弁押さえ（３、５４）を貫通して延び、同心円に沿って配列され円周方向に延びる第２ガス流路（６６）の組を有する単一の前記弁押さえ（３、５４）と、
前記弁押さえ（３、５４）と前記弁座（２、５２）との間に設けられた少なくとも１つの可動シール要素と、
前記弁座（２、５２）に取り外し可能に接続され、第１ガス流路（５８）に整合する開口部（７４）を備える取り外し可能な座板（６８）と、
を備え、
前記少なくとも１つの可動シール要素は、前記第１ガス流路（５８）を閉じるために弾性部材によって前記取り外し可能な座板（６８）に対して弾力的に付勢され、
前記座板（６８）および前記少なくとも１つの可動シール要素は、非金属材料製である、
自動弁（１）。
【請求項２】
前記座板（６８）および前記少なくとも１つの可動シール要素は、複合材料製である、請求項１に記載の自動弁（１）。
【請求項３】
前記複合材料は、強化繊維または補強材を含む合成樹脂マトリックスを含む、請求項１または２に記載の自動弁（１）。
【請求項４】
前記合成樹脂マトリックスは、熱可塑性樹脂製である、請求項１〜３のいずれか一項に記載の自動弁（１）。
【請求項５】
前記強化繊維は、炭素繊維およびガラス繊維を含む群より選択される、請求項１〜４のいずれか一項に記載の自動弁（１）。
【請求項６】
少なくとも１つの可動シール要素の非金属材料および前記座板（６８）の非金属材料は、実質的に同じ熱膨張係数を有する、請求項１〜５の少なくとも一項に記載の自動弁（１）。
【請求項７】
少なくとも１つの可動シール要素の非金属材料および前記座板（６８）の非金属材料はそれぞれ、２０％以下、好ましくは１５％以下、さらに好ましくは１０％以下の互いに異なる熱膨張係数を、前記弁の作用温度の範囲内で有する、請求項１〜６の少なくとも一項に記載の自動弁（１）。
【請求項８】
緩衝器が前記座板（６８）と前記弁座（２、５２）との間に設けられる、請求項１〜７の少なくとも一項に記載の自動弁（１）。
【請求項９】
前記少なくとも１つの可動シール要素は、前記座板（６８）における前記開口部（７４）に沿って延びる第２シール面と前記座板（６８）上で封止接触して協働する複数の第１シール面を備える、請求項１〜８の少なくとも一項に記載の自動弁（１）。
【請求項１０】
前記第１シール面および前記第２シール面は、少なくとも部分的に非平面である、請求項１〜９のいずれか一項に記載の自動弁（１）。
【請求項１１】
前記第１シール面の対は、第１ガス流路（５８）を閉じるために、対応する前記第２シール面の対の間に部分的に入り込む、請求項１〜１０のいずれか一項に記載の自動弁（１）。
【請求項１２】
前記少なくとも１つの可動シール要素はシールリング（８、６０）である、請求項１〜１１の少なくとも一項に記載の自動弁（１）。
【請求項１３】
同心円状に設けられたシールリング（８、６０）を備える、請求項１〜１２のいずれか一項に記載の自動弁（１）。
【請求項１４】
前記少なくとも１つの可動シール要素はシール板である、請求項１〜１３の少なくとも一項に記載の自動弁（１）。
【請求項１５】
前記シール板は、環状のシール面と前記座板（６８）上で協働する環状凸部を備える、請求項１〜１４のいずれか一項に記載の自動弁（１）。
【発明の詳細な説明】
【技術分野】
【０００１】
本開示は、リング状または環状の弁などの自動弁に関する。本明細書に開示される主題のいくつかの実施形態は、特に往復圧縮機のための自動リングまたは環状弁に関する。
【背景技術】
【０００２】
一般的に、自動弁は例えば往復圧縮機において使用される。自動弁は、圧縮機シリンダ内部の圧力制御の下で圧縮機の吸気ポートおよび排気ポートを自動的に開閉するために、圧縮機の吸気側および排気側の両方に設けられる。
【０００３】
従来技術の自動リング弁の例示的な実施形態が、図１に示されている。自動リング弁１は、弁座２と弁押さえ３とを備える。弁座は、弁座２を貫通して延びる、周方向に設けられたガス流路４を備える。弁押さえ３は、同様にガス流路５を備える。中央ねじ６は、弁座２と弁押さえ３とを、間に隙間７を残して互いに連結する。同心円状に設けられた複数のシールリング８は、弁座２と弁押さえ３との間に設けられる。各シールリング８は、弁座２の対応する環状に設けられたガス流路４の対に沿って設けられる。複数の圧縮ばね９は、ガス流路４の対応するシール面４Ａとの封止接触によってシールリング８がガス流路４の対のそれぞれを閉じる閉鎖位置にシールリングを付勢するために、各シールリング８を備える。圧縮ばね９は、弁押さえ３に備えられたばね受け１０のそれぞれに収容される。
【０００４】
自動リング弁１の差圧は、弁の自動開閉を引き起こす。図２は、圧縮機および所定の１Ａ、１Ｂ、１Ｃおよび１Ｄの吸気ポートおよび排気ポート上に設けられた４つの自動リング弁１を使用した、往復圧縮機のヘッド１１を示している。
【０００５】
より具体的には、圧縮機ヘッド１１は、ピストン１４が往復移動可能である圧縮機シリンダ１３を画成する。ピストン１４のロッド１５は、両方向矢印ｆ１４に沿ってピストン１４を往復移動させるクランク（図示せず）に接続される。ピストン１４は、圧縮機シリンダ１３を２つの個別の圧縮室１３Ａ、１３Ｂ内に分割する。
【０００６】
圧縮機ヘッド１１は、第１自動リング弁１Ａを通して第１圧縮室１３Ａと流体連通する第１吸気ポート１７を備える。第２吸気ポート１９は、第２自動リング弁１Ｂを通して第２圧縮室１３Ｂと流体連通する。第１排気ポート２１は、第３自動リング弁１Ｃを通して第１圧縮室１３Ａと流体連通し、第２排気ポート２３は、第４自動リング弁１Ｄを通して第２圧縮室１３Ｂと流体連通する。
【０００７】
ピストン１４の往復運動は、第１圧縮室１３Ａにおける選択的なガスの吸入と、第２圧縮室１３Ｂからの圧縮ガスの放出とを引き起こし、またその逆も引き起こす。自動リング弁１Ａ、１Ｂ、１Ｃおよび１Ｄは、ガス流路４内の圧力が圧縮ばね９の弾性力を超えると選択的に開く。
【０００８】
往復圧縮機のクランクシャフトは、例えば１００ｒｐｍ〜１２００ｒｐｍの範囲、典型的には２００ｒｐｍ〜１０００ｒｐｍの間の回転速度で回転することができる。それゆえ、シールリング８は、高速での連続開閉ストロークを受ける。シールリングは一般的に、質量を低減して慣性を小さくするために繊維強化合成樹脂などの複合材料で製造される。弁座２および弁押さえ３は、通常、金属製である。
【０００９】
シールリング８および弁座２の両方は、疲労応力のために摩耗を受ける。それゆえ、自動リング弁は維持管理の対象となる。シールリング８は、弁座が環状シール面４Ａの加工による再形成を必要とする間に交換される。この操作には、圧縮機からの自動リング弁の取り外しが必要であり、多大な時間を必要とする。弁は、弁座の加工および再形成を必要とするものと交換可能でなければならないので、圧縮機は長期間のシャットダウンまたは交換の対象となる。同様の欠点が、例えば可動シール板などの同心円状に設けられたシールリングと異なる可動シール要素を備える自動弁に生じる。
【００１０】
自動弁は、摩擦およびガス圧縮によって発生する熱のために熱応力を受ける。それゆえ、弁の様々な部品は熱膨張しがちである。弁座およびシールリングの製造のための異なる材料の使用は、使用される材料の異なる熱膨張係数が原因で熱膨張差を引き起こす。このことは、平面状のシール面が使用されない限り、圧縮機効率の低減によるガス流路の非効率的な封止およびそれに伴うガス漏れの原因となる。一方、後者は、効率的な封止作用の観点から、完全に満足なものではない。例えば弁座上で環状座部と協働する環状凸部を備える可動シール板が使用される場合、同様の欠点が生じる。
【００１１】
シールリング８の開閉または同様に可動シール板の開閉は、閉鎖の間の弁座２に対するシールリング８の衝撃が原因で、弁の構造上で動的応力を繰り返し発生させる。
【００１２】
それゆえ、改良された差圧弁、特に、せめて従来技術のリング弁の上述の問題および欠点のうち少なくとも１つを軽減するような、往復圧縮機または同様の機械のための自動リング弁を開発することが望ましい。
【先行技術文献】
【特許文献】
【００１３】
【特許文献１】米国特許第５，５１１，５８３号明細書
【発明の概要】
【００１４】
本明細書に開示される主題のいくつかの実施形態によれば、自動弁は１つ以上の可動シール要素（例えば複数の同心円状に設けられたシールリング）および取り外し可能な座板を備え、可動シール要素および座板のいずれも、非金属材料製であり、好ましくは同じまたは実質的に同じ熱膨張係数を有する。可動非金属製シールリングまたは他の可動シール要素の使用の利点がこのようにして維持されるが、同時に、ガス漏れなどの熱膨張差およびそれによる圧縮機効率の低減に起因する欠点は、少なくとも部分的に軽減されるか、あるいは完全に除去される。取り外し可能かつ交換可能な座板の使用は、弁の維持管理を容易にし、摩耗した弁座の再加工の必要性を取り除く。摩耗し、破損あるいは変形した座板は、維持管理の介入に必要な機械休止時間を長時間かけることなく、短時間で容易に取り外して交換され得る。
【００１５】
従って、一実施形態によれば、自動弁は、弁座を貫通して延びる第１ガス流路を備える該弁座と、弁押さえを貫通して延びる第２ガス流路を有する該弁押さえと、弁押さえと弁座との間に設けられた少なくとも１つの可動シール要素と、弁座に取り外し可能に接続され、弁座と可動シール要素との間に設けられ、第１ガス流路に整合する開口部を備える座板とを備える。可動シール要素は、第１ガス流路を閉じるために弾性部材によって取り外し可能な座板に対して弾力的に付勢され、座板および単一または複数の可動シール要素は、非金属複合材料製である。
【００１６】
上述の通り、実際には、可動シール要素は、環状で同心円状に設けられた、取り外し可能な座板と協働してシール面を形成するリングによって形成される。リングは、単一の構造を形成するために互いに連結されてもよい。あるいは、リングは互いに離間し、同心円状に配置された環状のアライメントに従って設けられた圧縮ばねなどの各弾性部材によって、個別に座板に向けて付勢されてもよく、複数のばねが、隣接するリングとは独立に各リングを個別に付勢するために提供される。この場合、可動シール要素は互いに離間して、同心円状に設けられたシールリングによって形成される。
【００１７】
いくつかの実施形態によれば、座板および単一または複数の可動シール要素は、複合材料製である。２つの部品の複合材料は同一であってもよい。いくつかの実施形態において、単一または複数の可動シール要素および座板のために、例えば設計考察に基づいて異なる複合材料をそれぞれ使用してもよい。好ましい実施形態において、異なる複合材料が座板および単一または複数の可動シール要素のためにそれぞれ使用されたとしても、前記複合材料は実質的に同じ熱膨張係数を有する。
【００１８】
類似の、あるいは実質的に同じ熱膨張係数を有する非金属材料製の座板および単一または複数の可動シール要素の使用は、効率的なシール作用と低い圧力損失とをもたらす非平面のシール面の使用を可能にする。実際、２つの部品は、温度上昇を受けると、相互の形状および寸法の整合条件を維持することでシール効率を維持するように、類似の、あるいは実質的に同じ径方向に膨張しがちである。
【００１９】
いくつかの実施形態において、座板および単一または複数の可動シール要素を形成する複合材料は、合成樹脂マトリックス、好ましくは、強化繊維および／または異なるタイプの補強材を含む熱可塑性樹脂のマトリックスであってもよい。これらは、ガラス繊維および炭素繊維を含むがこれらに限定されない。単一または複数の可動シール要素は、第２シール面と座板上で封止接触して協働する複数の第１シール面を備えてもよく、前記第２シール面は前記座板における開口部に沿って延びる。好ましくは、第１シール面および前記第２シール面は非平面である。
【００２０】
特徴および実施形態を、本明細書に以下の通り開示し、本願の記述の不可欠部分を成す添付の特許請求の範囲においてさらに述べる。以下の詳細な記述をより良く理解できるものにするため、かつ、本願の技術に対する貢献がより高く認識されるために、上述の簡単な記述は本発明の様々な実施形態の特徴を述べている。当然のことながら、以降に記述し、かつ、添付の特許請求の範囲において述べる本発明の他の特徴もある。この点で、本発明のいくつかの実施形態を詳細に説明する前に、この出願において本発明の様々な実施形態が、構成の詳細と、以下の記述に述べるか、あるいは図面に示す部品の配置とに限定されないものと理解される。本発明は他の実施形態とすることが可能であり、様々な方法で実施および実行することが可能である。また、本明細書に採用した表現および用語は、記述を目的としており、限定であるとみなされるべきものではないことが理解される。
【００２１】
従って、当業者は、開示に基づく概念が、本発明のいくつかの目的を実行するための他の構造、方法および／またはシステムの設計の基礎として容易に利用され得ることを理解しているであろう。それゆえ、特許請求の範囲が本発明の精神および範囲を逸脱しない限り、そのような同等の構成を含むとみなされることが重要である。
【００２２】
添付の図面に関連して考慮すると、以下の詳細な記述を参照することでより良く理解されるので、本発明の開示された実施形態および多くの付随する利点について容易に、完全な理解が得られるであろう。
【図面の簡単な説明】
【００２３】
【図１】先行技術の自動リング弁の長手面に係る断面図である。
【図２】自動リング弁を使用した往復圧縮機のヘッドの長手方向断面図である。
【図３】本開示に従う弁の斜視断面図である。
【図３Ａ】図３の詳細Ａの拡大図である。
【図４】図３の弁の分解図である。
【図５】座板およびシールリングの一実施形態を示す弁の部分拡大断面図である。
【図６】座板およびシールリングの他の実施形態を示す弁の部分拡大断面図である。
【図７】座板およびシールリングのその他の実施形態を示す弁の部分拡大断面図である。
【発明を実施するための形態】
【００２４】
以下の例示的な実施形態の詳細な記述は、添付の図面を参照する。異なる図面における同様の参照番号は、同一または同様の要素を特定する。さらに、図面は必ずしも縮尺に合わせて引いていない。また、以下の詳細な記述は本発明を限定するものではない。代わりに、本発明の範囲は添付の特許請求の範囲によって定義される。
【００２５】
明細書全体を通して、「一実施形態」または「実施形態」あるいは「いくつかの実施形態」に対する言及は、実施形態について記述された特定の特性、構造または特徴が、開示された主題の少なくとも一実施形態において含まれることを意味する。従って、明細書全体を通して様々な個所に出現する「一実施形態において」または「実施形態において」あるいは「いくつかの実施形態において」の句は、必ずしも同じ実施形態を言及していない。さらに、特定の特性、構造または特徴は、１つ以上の実施形態において任意の適切な態様で組み合わされてもよい。
【００２６】
本明細書において以下により詳細に記述され、かつ、図面に示された実施形態は、特に自動リング弁、つまり複数の同心円状に設けられた可動シールリングを備える自動弁を言及している。他の実施形態において、図示しないが、単一の可動シール要素を形成するために互いに拘束された１つ以上の部品から製造されるシール板を、可動かつ同心円状に設けられたシールリングに代えて備えることができる。
【００２７】
図２および図３は、本明細書に開示される主題に従う自動リング弁の例示的な実施形態を示している。自動リング弁は、全体的に５０として示されている。弁５０は、弁座５２および弁押さえ５４を備える。弁座５２および弁押さえ５４は、ねじ装置５６によって互いに接続されている。以下の通り本明細書により詳細に記述されるように、隙間は、可動シールリングおよび座板が設けられた弁座５２と弁押さえ５４との間に残される。
【００２８】
弁座５２は、一組の第１ガス流路５８を備える。いくつかの実施形態において、第１ガス流路５８は細長く湾曲した孔または隙間の形状を有する。いくつかの実施形態において、第１ガス流路５８は同心円状に配置された円周に沿って設けられる。他の実施形態において、第１ガス流路５８は、細長よりもむしろ円形の断面を有することができる。円周状に設けられた第１ガス流路５８の各組は、前記可動シールリングによって密閉される。
【００２９】
図面に示した実施形態において、弁板は複数の同心円状に設けられたシールリング６０から構成される。いくつかの実施形態において、シールリング６０は、互いに独立している、つまり、これらは互いに拘束されていない。他の実施形態において、シールリング６０は、ユニット内にそこを通るガスの流れを許容する貫通開口部を有する単一のユニットを形成するような、拘束部材によって互いに接続され得る。いくつかの実施形態において、シールリング６０を、弁板の形で単一の可動シール要素を形成するために互いに接続することができ、該弁板には、同様に弁板を通るガスの通路を提供するような開口部を備える、前記弁板の一面上に環状凸部が設けられる。
【００３０】
以下の通り本明細書においてより詳細に記述されるように、図面において、同じ円周に沿って設けられた第１ガス流路５８の各組は、シール面との相互協働によって前記同心円状に設けられたシールリング６０のそれぞれ１つによって閉じられる。
【００３１】
いくつかの例示的な実施形態において、図面に示すように、各シールリング６０は、一組の弾性部材によって弁座５２に向けて弾性的に付勢される。弾性部材は、らせん状の圧縮ばね６２を備えてもよい。各圧縮ばね６２は、弁押さえ５４に設けられたばね受け６４のそれぞれに部分的に収容されてもよい。弁座５２に向けて閉鎖位置にシールリング６０を付勢するために、他の異なる弾性装置を設けてもよい。
【００３２】
弁押さえ５４は一組の第２ガス流路６６を備える。第１ガス流路５８と同様に、第２ガス流路６６もまた、同心円状に延びる円周に沿って設けることができ、細長く湾曲した隙間または孔の形であってもよい。他の実施形態において、第２ガス流路６６は、細長よりもむしろ円形の断面を有することができる。第１ガス流路５８および第２ガス流路６６は、シールリング６０が開放位置にある場合にガスが弁５０を通して流れることができるように、半径方向に偏っている。
【００３３】
いくつかの実施形態において、各シールリング６０は、弁座上で第２平面状シール面と協働する第１平面状シール面を有する。しかし、他の実施形態において、図面に示す通り、シールリング６０は少なくとも部分的に非平面のシール面６０Ａを有する。シール面６０Ａは、凸状の断面形状を有することがある。いくつかの実施形態において、シール面６０Ａは湾曲した凸状のシール面である。他の実施形態において、図３Ａ、図５および図６に示すように、シール面６０Ａは、２つの円錐表面部６０Ｂおよび中間平面６０Ｃで構成することができる。
【００３４】
他の実施形態において、（例えば図７参照）シール面６０Ａは、凸状のトロイダル面の形状をなす中央平面部６０Ｃおよび２つの外側面部６０Ｂで構成することができる。
【００３５】
本明細書に開示される主題によれば、シールリング６０は、弁座５２に取り外し可能に接続される座板６８上に形成されるシール面と協働する。座板６８は、例えば座板が破損または摩耗した場合に交換できるように、弁座から取り外し可能である。
【００３６】
座板６８は、開口部または貫通通路７０を備える。座板６８が弁座５２に取り付けられる場合、貫通通路７０は、弁座５２の第１ガス流路５８に位置合わせされる。好ましくは、貫通通路７０は第１ガス流路５８と同じ断面を有する。従って、貫通通路７０は、弁座５２の第１ガス流路５８のパターンに適合するパターンに従って、つまり、同心円状に設けられた円周線に沿って設けられる。
【００３７】
いくつかの実施形態において、座板６８は座板６８の貫通通路７０に沿って延びるシール面７０Ａを有する。円周方向に並んだ開口部または貫通通路７０の各組は、同心円状に延びる２つのシール面７０Ａの間に設けられる。シール面７０Ａは、座板６８上に形成された円形凸部上に設けられる。
【００３８】
シール面７０Ａの形状は、シールリング６０のシール面６０Ａに適合するように設計される。１つのシールリング６０は、一組の開口部または貫通通路７０が設けられた、２つの同心円状に設けられたシール面７０Ａの間を係合する。シールリング６０は、対向して設けられた座板のシール面７０Ａの間を部分的に貫通することができる（特に図５、図６および図７参照）。こうして楔効果が得られ、結果として改善されたシール作用をもたらす。
【００３９】
いくつかの実施形態において、周方向に設けられた一組の開口部または貫通通路７０に沿って設けられた２つのシール面７０Ａは、対応するシールリング６０の円錐表面部６０Ｂに適合する円錐表面部（図３、図５、図６）を有する。他の実施形態（図７）において、シール面７０Ａは、シールリング６０の対応する凸状トロイダル面６０Ｂに適合する凹状のトロイダル面を有する。
【００４０】
シール面６０Ａおよび７０Ａは、各シール面７０Ａが対応するシール面６０Ａに狭い環状接触面に沿って接触するように設計され得る。狭い接触領域は高い接触圧を確保するので、高いシール効果が得られる。シールリング６０および座板６８の両方の円錐面またはトロイダル面は、座板６８の開口部または貫通通路７０について、シールリング６０のセルフセンタリング効果をもたらす。
【００４１】
いくつかの実施形態において、シールリング６０は、繊維強化合成樹脂、好ましくは炭素繊維またはガラス繊維で強化された熱可塑性樹脂などの複合材料で製造される。
【００４２】
いくつかの実施形態において、座板６８はシールリング６０と同じ材料で製造される。他の実施形態において、座板６８は、シールリング６０の材料と実質的に同じ熱膨張係数を有する、別の繊維強化合成樹脂などの異なる材料で製造され得る。「実質的に同じ」熱膨張係数によって、係数は、動作温度範囲内の熱膨張差がシール作用を損なわないような、シールリング６０を形成する材料の熱膨張係数と異なるものであると理解される。いくつかの実施形態において、シールリングと座板との熱膨張係数の差は、２０％以下、好ましくは１５％以下、さらに好ましくは１０％以下である。
【００４３】
シールリング６０および座板６８の両方に複合材料を使用することで、自動リング弁の可動部分の質量の低減が可能になり、さらに、これら２つの部品の異なる熱膨張係数がガス漏れを引き起こし、それに伴って、弁が使用される機械（例えば往復圧縮機）の効率の低減を引き起こす、公知の自動リング弁の欠点を軽減または除去する。
【００４４】
また、互換性のある、あるいは交換可能な座板６８の使用は、弁の維持管理を容易にする。座板６８が破損または摩耗した場合、弁が取り付けられた機械からの弁の分解と、弁座の加工の回避とを要することなく、弁を容易に交換することができる。
【００４５】
図面に示された例示的な実施形態において、座板６８は弁座５２に直接的に接触していない。むしろ、緩衝器が座板６８と弁座５２との間に設けられる。図示した実施形態において、緩衝器は緩衝板７２を備える。緩衝板７２は７４において開口部を備える。開口部７４は、座板６８の貫通通路７０に位置合わせされ、かつ、弁座の第１ガス流路５８に位置合わせされ、そして好ましくは、弁座の第１ガス流路５８と同じ断面を有する。緩衝板７２は、シールリング６０に対向する座板６８と弁座５２の表面との間に保持される。座板６８および緩衝板７２を弁座５２にロックするために、１つ以上のピン７３を備えることができる。
【００４６】
緩衝板７２は、弁上の動的応力を低減させるような閉ストロークの間のシールリング６０の運動エネルギーの少なくとも一部を、消散させるかあるいは吸収する。緩衝板７２は、適切なエネルギー吸収材料で製造される。緩衝板７２の製造に適切な材料は、例えば、炭素繊維またはガラス繊維で強化された熱可塑性樹脂などのプラスチックまたは複合材料である。
【００４７】
好ましくは、緩衝板７２は、座板６８が緩衝板７２が位置づけられる弁座５２の平面に直接的に接触しないように座板６８を弁座５２から分離させる、一種のライナを形成する。このことは、シールリング６０が第１ガス流路５８を閉じる際の弁上の機械的衝撃を低減させるために有効な減衰効果を確保する。
【００４８】
本明細書に記載の主題の開示された実施形態が、いくつかの例示的な実施形態に関連して、特殊性および詳細とともに図示され、完全に説明されたが、本明細書に述べた新規の教示、原理および概念、そして添付の特許請求の範囲に列挙した主題の利点から実質的に逸脱することなく、多くの修正、変更および省略が可能であることは、当業者にとって明らかであろう。従って、開示されたイノベーションの適切な範囲は、このような全ての修正、変更および省略を網羅するように、添付の特許請求の範囲の最も広い解釈によってのみ決定されるべきである。
【符号の説明】
【００４９】
１  自動リング弁
１Ａ  第１自動リング弁
１Ｂ  第２自動リング弁
１Ｃ  第３自動リング弁
１Ｄ  第４自動リング弁
２、５２  弁座
３、５４  弁押さえ
４、５  ガス流路
４Ａ、６０Ａ、７０Ａ  シール面
６  中央ねじ
７  隙間
８、６０  シールリング
９、６２  圧縮ばね
１０、６４  ばね受け
１１  ヘッド
１３  圧縮機シリンダ
１３Ａ  第１圧縮室
１３Ｂ  第２圧縮室
１４  ピストン
１５  ロッド
１７  第１吸気ポート
１９  第２吸気ポート
２１  第１排気ポート
２３  第２排気ポート
５０  弁
５６  ねじ装置
５８  第１ガス流路
６０Ｂ  円錐表面部、外側面部、凸状トロイダル面
６０Ｃ  中間平面、中央平面部
６６  第２ガス流路
６８  座板
７０  貫通通路
７２  緩衝板
７３  ピン
７４  開口部
ｆ１４  両方向矢印
【図１】
0006359973.tif 000002
【図２】
0006359973.tif 000003
【図３】
0006359973.tif 000004
【図３Ａ】
0006359973.tif 000005
【図４】
0006359973.tif 000006
【図５】
0006359973.tif 000007
【図６】
0006359973.tif 000008
【図７】
0006359973.tif 000009